(57)【要約】【課題】柔軟性のある長靴等の靴に装着することによって、足首を固定することができ、安定した山歩きを可能とする歩行補助具を提供することを目的とする。【解決手段】  靴の後面に配置される背面部材と、靴の底面部に配置される底面部材と、前記背面部材を長靴に装着する上方バックル部材と、前記底面部材を長靴に装着する下方バックル部材を有し、前記背面部材は、前記背面部材は、靴の後端から左右両側に延びる湾曲状の板状部材からなり、前記底面部材は、靴の底面のかかと位置より前方の下面に配置される底壁部と前記底壁部の左右両側から上方に向かって延びる上方腕部を備えており、前記背面部材の左右両側の下方前方位置において、前記底面部材の左右の前記上方腕部が回動自在に連結されている。【選択図】図４
2018064868.tif 000002
【特許請求の範囲】
【請求項１】
靴の後面に配置される背面部材と、靴の底面部に配置される底面部材と、前記背面部材を長靴に装着する上方バックル部材と、前記底面部材を長靴に装着する下方バックル部材を有し、
前記背面部材は、前記背面部材は、靴の後端から左右両側に延びる湾曲状の板状部材からなり、
前記底面部材は、靴の底面のかかと位置より前方の下面に配置される底壁部と前記底壁部の左右両側から上方に向かって延びる上方腕部を備えており、
前記背面部材の左右両側の下方前方位置において、前記底面部材の左右の前記上方腕部が回動自在に連結されている
ことを特徴とする歩行補助具。
【請求項２】
前記底面部材の底面に装着されるアタッチメント部材を有し、
前記アタッチメント部材は、前記底面部材の前記底壁部に対して後方からスライド係合可能な係合部と、前記係合部の下面に形成された機能部とを備える
ことを特徴とする請求項１に記載の歩行補助具。
【請求項３】
前記機能部は、スパイク部である
ことを特徴とする請求項１又は２に記載の歩行補助具。
【請求項４】
前記機能部は、スポンジ部もしくはフェルト部である
ことを特徴とする請求項１又は２に記載の歩行補助具。
【発明の詳細な説明】
【技術分野】
【０００１】
本発明は、山岳等の足元の不安定な場所での歩行や作業を安定して行うために、長靴等に装着して使用する歩行用補助具に関するものである。
【背景技術】
【０００２】
従来、山菜採取等の山等に登って行う作業には、途中、沢等をなどわたる可能性があることなどから、長靴を履くなどして行っていた。
そして、長靴に対して、滑り止めのためのスパイク等を取り付けるための歩行補助具が公知となっている（特許文献１）。
【先行技術文献】
【特許文献】
【０００３】
【特許文献１】特開２００２−５８５０６号
【発明の概要】
【発明が解決しようとする課題】
【０００４】
しかしながら、長靴はゴム等によって製造されることから柔軟性に優れる反面、山岳を登坂する際には、その柔軟性によって足首が安定せず、例え滑り止めを付けたとしても、足に無理な力が加わって足首をひねって怪我をしたり、足元が滑って転倒するなどの危険性があった。
【０００５】
本発明は、上記事情を鑑みたものであり、柔軟性のある長靴等の靴に装着することによって、足首を固定することができ、安定した山歩きを可能とする歩行補助具を提供することを目的とするものである。
【課題を解決するための手段】
【０００６】
本発明は、靴の後面に配置される背面部材と、靴の底面部に配置される底面部材と、前記背面部材を長靴に装着する上方バックル部材と、前記底面部材を長靴に装着する下方バックル部材を有し、前記背面部材は、前記背面部材は、靴の後端から左右両側に延びる湾曲状の板状部材からなり、前記底面部材は、靴の底面のかかと位置より前方の下面に配置される底壁部と前記底壁部の左右両側から上方に向かって延びる上方腕部を備えており、前記背面部材の左右両側の下方前方位置において、前記底面部材の左右の前記上方腕部が回動自在に連結されていることを特徴とする。
【発明の効果】
【０００７】
本発明の歩行補助具によれば、長靴内の足首の回動を前後方向にのみ許容して足首のねじれを防止することができ、また、足首を安定させて山岳等の不安定な場所での山歩きや作業を安全に行うことができる。
【図面の簡単な説明】
【０００８】
【図１】本発明の実施形態に係る歩行補助具の全体斜視図である。
【図２】本発明の実施形態に係る歩行補助具の主要な構成部材の分解斜視図である。
【図３】本発明の実施形態に係る歩行補助具の底面部材に対するアタッチメント部材の取付を説明するための図であり、（ａ）は装着した状態の斜視図、（ｂ）は底面部材にアタッチメント部材を装着する際の側面図、（ｃ）は底面部材にアタッチメント部材を装着した際の側面図である。
【図４】本発明の実施形態に係る歩行補助具を長靴に装着した状態を示す斜視図である。
【発明を実施するための形態】
【０００９】
本発明の歩行補助具を、長靴に装着する歩行補助具の実施形態を用いて、図面を参考にして説明する。
−歩行補助具の構成−
本発明の実施形態の歩行補助具は、長靴のかかと部位に装着して歩行の補助をするものであり、図１に示すように、塩化ビニール等の樹脂材料からなる背面部材１と、アルミ合金等の金属材料からなる底面部材２と、アルミ合金等の金属材料からなるアタッチメント部材３を備えている。
本実施形態の歩行補助具においては、背面部材１には、長靴の足首上方位置に固定するための第１及び第２のバックル部材４１，４２が取り付けられており、底面部材２には、長靴の足の甲位置に固定するための第３のバックル部材４３が取り付けられている。
【００１０】
背面部材１は、図２（ａ）に示すように、全体が靴の足首上方部分の外周に沿うように後面から左右両側に延びる湾曲状の板状部材により形成されている。
背面部材１の上方部分は湾曲しながら左右前方に延設されて上方膨出部１１，１１が形成されており、上方膨出部１１，１１の下方には湾曲凹部１２，１２を挟んで左右両側下方より左右前方にやや下方に向かって並行に延設する左右の下方延出部１３，１３が形成されている。
上方膨出部１１，１１には第１バックル部材４１を取り付けるための第１取付孔１１ａ，１１ａが形成されており、湾曲凹部１２，１２には第２バックル部材４２を取り付けるための第２取付孔１２ａ，１２ａが形成されている。
また、下方延出部１３，１３の前方先端部付近には、底面部材２を回動自在に連結するための第１連結孔１３ａ，１３ａが形成されている。
【００１１】
底面部材２は、アルミ合金等の金属板材を折り曲げて形成されており、図２（ｂ）に示すように、装着する靴の底面のかかと位置より前方の下面に配置される底壁部２１と前記底壁部２１の左右両側から上方やや後方に向かって並行に延びる上方腕部２２，２２を備えている。
上方腕部２２，２２の上方部分は円状の摺動部分２２ａ，２２ａが形成されており、上方腕部２２，２２の下方前方部位には、背面部材１に対して回動自在に連結するための第２連結孔２２ｂ，２２ｂが形成されている。
【００１２】
アタッチメント部材３は、アルミ合金等の金属板材からなり、図２（ｃ）に示すように、後方から前方に向かって水平に延びる板状の係合部３１と、係合部３１に対して後方部位で連結されて下面にスパイクやスポンジ等の滑り止め機能を備える機能部３２とを備えている。
図２（ｃ）に示す実施例においては、機能部３２として下面外周にスパイク３２ａが形成されたスパイク部が採用されている。
【００１３】
そして、背面部材１と底面部材２は、図１に示すように、下方延出部１３，１３の第１連結孔１３ａ，１３ａと上方腕部２２，２２の第２連結孔２２ｃ，２２ｃとが連結され、連結部５１を中心にして矢印ｘに示す方向に回動自在となっている。
そして、背面部材１の左右両側下方より並行に延設された左右の下方延出部１３，１３に対して、底面部材２の上方に並行に延びる円状の摺動部分２２ａ，２２ａが外周より当接して摺動することで、背面部材１に対して底面部材２の回動が左右にぶれることなく、前後方向のみを中心としたスムーズな回動を可能にしている。
したがって、柔軟性を有する長靴を履いた作業者は、山岳等の不安定な場所においても足首は主に前後方向の回動が許容されて、ねじれることなく安定した作業をすることができる。
また、背面部材１の左右両側下方より左右前方にやや下方に向かって延設する左右の下方延出部１３，１３の先端部において底面部材２が連結されているので、登坂するときの使用者の前傾姿勢によって背面部材１が前方に倒れ込むことで、下方延出部１３，１３先端部には下方に向かう力が働き、下方延出部１３，１３の先端部において連結された底面部材２に下方に向けて踏み込む力が働くので、滑りにくく、登坂時に足が疲れることを抑制できる。
【００１４】
一方、アタッチメント部材３は底面部材２に対して、図３（ａ）ないし（ｃ）に示すようには、後方から装着することができる。
具体的には、底面部材２の底壁部２１に対して、アタッチメント部材３の係合部３１が上面に、機能部３２が下面に配置されるように、後方からスライドして係合され、アタッチメント部材３を取り付けた底面部材２の下面に機能部３２が下方に向けて配置されるように装着されている。
【００１５】
アタッチメント部材３の機能部３２は、本実施形態に採用されているスパイク部の他にも、下面にフェルトやスポンジ等の水辺における滑り止め機能を備えるものなど使用する場所に応じて種々の機能部を用いることができ、着脱が簡易であることから山岳への登坂においては種々のアタッチメント部材３を携帯して場所に応じて付け替えることもできる。なお、アタッチメント部材３をはずしても、背面部材１と底面部材２との回動制限機能により足首を安定させ、安全な登坂を行うことができる。
【００１６】
−歩行補助具の長靴等への装着−
本実施形態の歩行補助具を長靴に装着するには、図４に示すように、歩行補助具の底面部材２を長靴の底面のかかと位置より前方の下面に配置するとともに、背面部材１を長靴Ａの後面のかかと上方部位に配置した状態で、第１及び第２バックル部材４１，４２によって背面部材１を長靴のすねの下方位置に締め付け固定するとともに、第３バックル部材４３によって底面部材２を長靴の甲の位置に締め付け固定することによって装着することができる。
【００１７】
図４に示す実施形態においては、背面部材１と底面部材２との連結部５１において、第３バックル部材４３が取り付けられているので、部品点数が増加することなく、背面部材１が第１ないし第３バックル部材４１，４２．４３の３本の固定部材によって長靴に固定されることとなるので、背面部材１を長靴に対して強固に固定することができる。
そして、背面部材１と底面部材２とは、連結部５１を中心として回動し、底面部材２の上方腕部２２，２２の摺動部分２２ａ，２２ａの内面と、背面部材１の下方延出部１３，１３の外面とが略平行状態となって摺動するので、背面部材１に対して底面部材２の前後方向のみの回動を許容して、回動がぶれることなく、足首を安定させることができる。
【００１８】
また、歩行補助具が長靴に装着され、底面部材２が長靴のかかとの前部分に配置されることにより、底面部材２の底壁部２１に後方からスライドして係合したアタッチメント部材３の後方へのスライドが、長靴のかかと部分によって阻害され、簡単な構造でありながら、アタッチメント部材３が底面部材２から外れることがない。
また、バックル部材を緩めることにより、底面部材２をかかとよりも下方にずらせば、アタッチメント部材３の付け替えを行うことができ、状況に応じた機能部３２を備えたアタッチメント部材３を装着することができる。
【００１９】
以上のように、本実施形態の歩行補助具によれば、簡単な構成でありながら、長靴等の柔軟性を有する靴を履いた使用者に対して、足首の動きを規制して安定して固定することができるので、山岳で足をひねったり、滑ったりすることを防止することができる。
また、底面部材が背面部材の左右両側の下方前方位置にて連結されているので、使用者の前傾姿勢が底面部材を地面に押し付けるように働くので、底面部材が滑ることを抑制して、楽に登坂することができる。
さらに、歩行補助具には、種々の機能部を備えるアタッチメントを着脱自在に取り付けることができるので、場所に応じて適したアタッチメントを装着することで、滑ることを抑制して、安全に登坂や作業を行うことができる。
【００２０】
なお、本発明の歩行補助具が装着される靴は、何ら限定されるものではなく、様々な靴に装着することで、滑り止め等の効果を発揮することが明らかであり、また、バックル部材の数や構成等、本発明の趣旨を変更しない限り、各部材の構成は、何ら限定されるものではない。
【符号の説明】
【００２１】
１      ：背面部材
１１    ：上方膨出部
１１ａ  ：第１取付孔
１２    ：湾曲凹部
１２ａ  ：第２取付孔
１３    ：下方延出部
１３ａ  ：第１連結孔
２      ：底面部材
２１    ：底壁部
２２    ：上方腕部
２２ａ  ：摺動部分
２２ｂ  ：第２連結孔
２２ｃ  ：第２連結孔
３      ：アタッチメント部材
３１    ：係合部
３２    ：機能部
３２ａ  ：スパイク
４１    ：第１バックル部材
４２    ：第２バックル部材
４３    ：第３バックル部材
【図１】
2018064868.tif 000003
【図２】
2018064868.tif 000004
【図３】
2018064868.tif 000005
【図４】
2018064868.tif 000006